(57)【要約】【課題】横一列の電話番号表記に対し、電話番号の区切り位置に区切り文字を挿入したり、電話番号の区切り位置前後の属性を変化させたりして、電話番号の区切りを表現していたが、横一列で表示するため、文字フォントの大きさが小さくなったり、縦長の文字になったり、又、表示スペースの右端で強制的に折り返されてしまい、結果的に本来の区切り位置でない場所で区切られたりして認識しにくい問題があった。【解決手段】電話の発・着信時、電話番号の電話帳への登録・呼び出し時又は電話の発・着信の履歴参照のいずれかの動作時に、それらの動作対象の電話番号を表示する電話番号表示装置において、前記電話番号を区切って複数行に亘って表示する。【選択図】      図１
2004153727.tif 000002
【特許請求の範囲】
【請求項１】
電話の発・着信時、電話番号の電話帳への登録・呼び出し時又は電話の発・着信の履歴参照のいずれかの動作時に、それらの動作対象の電話番号を表示する電話番号表示装置において、前記電話番号を区切って複数行に亘って表示することを特徴とする電話番号表示装置。
【請求項２】
請求項１に記載の電話番号表示装置において、前記電話番号を区切るための情報を登録した電話番号テーブルと、前記電話番号と前記電話番号テーブルとを比較し、前記電話番号テーブルの情報に基づいて前記電話番号の区切り位置を決定する電話番号区切り位置決定手段と、前記電話番号を表示するための表示手段とを有することを特徴とする電話番号表示装置。
【請求項３】
請求項１又は２に記載の電話番号表示装置において、前記電話番号テーブルの情報では前記電話番号の区切り位置を決定できない場合、事前に設定された任意の区切り位置情報に従って区切り位置を決定する電話番号区切り位置決定手段を有することを特徴とする電話番号表示装置。
【請求項４】
請求項２又は３に記載の電話番号表示装置において、前記電話番号テーブルの情報は、通信事業者を識別する第１の情報、国際電話や携帯電話に代表される第２の情報、料金着払い通信に代表される第３の情報、天気予報に代表される電話サービスを識別する第４の情報、並びに、国番号、市外局番、市内局番、加入者番号の桁数、及び、前記電話番号テーブルに付加された情報のうちいずれかで構成されていることを特徴とする電話番号表示装置。
【請求項５】
請求項４に記載の電話番号表示装置において、前記電話番号テーブルに付加された情報は、前記電話番号に関連付けられた情報、又はユーザにより任意に付加された情報で構成されていることを特徴とする電話番号表示装置。
【請求項６】
請求項４又は５に記載の電話番号表示装置において、前記電話番号に対して前記電話番号テーブルに付加された情報を参照でき、表示できることを特徴とする電話番号表示装置。
【請求項７】
請求項４、５又は６に記載の電話番号表示装置において、前記電話番号と前記電話番号テーブルに付加された情報とを対応付けて表示することを特徴とする電話番号表示装置。
【請求項８】
請求項２又は３に記載の電話番号表示装置において、前記電話番号の区切り位置決定手段により、前記電話番号が前記電話番号テーブルに登録されている電話番号と不一致になる場合、警告の表示や警告音の出力、表示手段の背景色の変更、又は、前記電話番号を表示する際の文字に装飾を行うことを特徴とする電話番号表示装置。
【請求項９】
請求項１乃至８に係る電話番号表示装置は、固定電話機、携帯電話機、情報処理端末装置、携帯情報処理端末装置のいずれかであることを特徴とする電話番号表示装置。
【発明の詳細な説明】
【０００１】
【発明の属する技術分野】
本発明は電話番号を一見して認識をしやすくするための電話番号表示装置に関する。
【０００２】
【従来の技術】
携帯電話やＩＰ（Ｉｎｔｅｒｎｅｔ  Ｐｒｏｔｏｃｏｌ）電話の出現、又、ユーザが自由にキャリアを選択できるようになったことにより、電話番号の桁数は従来に比べると増えてきている。一方、携帯電話においては、その表示部分が小さいため、電話番号を適切に表示しないと見づらくなってしまう。
【０００３】
電話機において電話番号の表示は、横一列に連続的に表示されることが一般的であるため、図１９のように電話番号の途中で折り返して表示されたり、図２０のように文字が小さくなったりして一見しただけでは認識しづらいという問題がある。
【０００４】
そこで、電話番号を表示するにあたり、日常普通に行われている電話番号の表記、例えば「０９０−○○○○−××××」のように電話番号の区切り位置に自動的に区切り文字、例えばハイフンを挿入するものがある（例えば、特許文献１参照。）。又、電話番号の区切り位置の前後において属性を変化させて認識しやすくするものがある（例えば、特許文献２参照。）。
【０００５】
以下、従来の電話番号の区切り位置に自動的に区切り文字を挿入する特許文献１の方法を図１６、図２１に基づいて、又、電話番号の区切り位置の前後において属性を変化させて認識しやすくする特許文献２の方法を図２３に基づいて説明する。
【０００６】
電話番号の区切り位置に自動的に区切り文字を挿入するために、まず電話番号の区切り位置を決定する。
【０００７】
電話番号の区切り位置を判断するために、国番号、市外局番、市内局番、加入者番号、通信事業者識別番号、各種ネットワークサービス識別番号と電話番号種別ごとの桁数、更に前記各番号に対応する国名や都道府県名、市町村名、通信事業者名やネットワークサービス名などのデータを付加して図１６のように登録しておく。
【０００８】
電話番号を図２１のように国際事業者識別番号、国番号又は国内事業者識別番号、市外局番、更に市内局番、加入者番号又はネットワークサービス識別番号、ネットワークサービス番号の順に照合することにより、電話番号の区切り位置を決定し、電話番号の区切り位置に空白や区切り文字を挿入する。
【０００９】
又、電話番号を区切るだけでなく、図２２のように前記各番号に対応するデータ、例えば、市外局番に対応する地域名をあわせて表示することが提案されている。
【００１０】
一方、電話番号の区切り位置の前後において属性を変化させて認識しやすくするものの表示例を図２３に示す。例えば、「０９０−１２３４−５６７８」という電話番号である場合、「０９０」と「５６７８」に下線を付加したり、文字フォントを太字にしたりして表示することにより、電話番号の桁数を増やすことなく電話番号の区切り位置を表現し、認識しやすくしている。
【００１１】
【特許文献１】特開平９−６４９６０号公報（第４−６頁、図１０）
【００１２】
【特許文献２】特開２００１−２９２２２４号公報（第３−４頁、図４）
【００１３】
【発明が解決しようとする課題】
横一列の電話番号表記に対し、特許文献１では、電話番号の区切り位置に区切り文字を挿入することにより、又、特許文献２では、電話番号の区切り位置前後の属性変化により電話番号の区切りを表現していたが、横一列で表示するため、図２０のように文字フォントの大きさが小さくなったり、図２４のように縦長の文字になったりして認識しにくい場合があった。
【００１４】
又、表示装置の表示スペースの幅が狭い場合、図１９のように表示スペースの右端で強制的に折り返されてしまい、結果的に本来の区切り位置でない場所で区切られることになり認識しにくい場合があった。
【００１５】
更に、前記各番号に対応する付加したデータ、例えば、市外局番に対応する地域名を表示することが提案されているが、横一列で表示するため、前記各番号とそれらに付加したデータとの対応を図２５のように適切に表現することができないという問題点があった。
【００１６】
そこで、本発明は、電話番号の区切り位置で改行を施し、電話番号を複数行に亘って表示することにより、図２６のように、より認識しやすい表示装置を提供することを目的としている。
【００１７】
日常的に行われている電話番号の区切り位置は高々４桁毎程度であるため、表示スペースの幅が狭い場合でも適切な電話番号の区切り位置で区切って表示することができる。
【００１８】
更に、図１８のように市外局番などの前記各番号に対応して付加されたデータを、前記各番号とそのデータとの対応を崩すことなく、わかりやすいように表示することができる。
【００１９】
【課題を解決するための手段】
請求項１に係る発明は、電話の発・着信時、電話番号の電話帳への登録・呼び出し時又は電話の発・着信の履歴参照のいずれかの動作時に、それらの動作対象の電話番号を表示する電話番号表示装置において、前記電話番号を区切って複数行に亘って表示することを特徴とする。
【００２０】
請求項２に係る発明は、請求項１に記載の電話番号表示装置において、前記電話番号を区切るための情報を登録した電話番号テーブルと、前記電話番号と前記電話番号テーブルとを比較し、前記電話番号テーブルの情報に基づいて前記電話番号の区切り位置を決定する電話番号区切り位置決定手段と、前記電話番号を表示するための表示手段とを有することを特徴とする。
【００２１】
請求項３に係る発明は、請求項１又は２に記載の電話番号表示装置において、前記電話番号テーブルの情報では前記電話番号の区切り位置を決定できない場合、事前に設定された任意の区切り位置情報に従って区切り位置を決定する電話番号区切り位置決定手段を有することを特徴とする。
【００２２】
請求項４に係る発明は、請求項２又は３に記載の電話番号表示装置において、前記電話番号テーブルの情報は、通信事業者を識別する第１の情報、国際電話や携帯電話に代表される第２の情報、料金着払い通信に代表される第３の情報、天気予報に代表される電話サービスを識別する第４の情報、並びに、国番号、市外局番、市内局番、加入者番号の桁数、及び、前記電話番号テーブルに付加された情報のうちいずれかで構成されていることを特徴とする。
【００２３】
請求項５に係る発明は、請求項４に記載の電話番号表示装置において、前記電話番号テーブルに付加された情報は、前記電話番号に関連付けられた情報、又はユーザにより任意に付加された情報で構成されていることを特徴とする電話番号表示装置。
【００２４】
請求項６に係る発明は、請求項４又は５に記載の電話番号表示装置において、前記電話番号に対して前記電話番号テーブルに付加された情報を参照でき、表示できることを特徴とする。
【００２５】
請求項７に係る発明は、請求項４、５又は６に記載の電話番号表示装置において、前記電話番号と前記電話番号テーブルに付加された情報とを対応付けて表示することを特徴とする。
【００２６】
請求項８に係る発明は、請求項２又は３に記載の電話番号表示装置において、前記電話番号の区切り位置決定手段により、前記電話番号が前記電話番号テーブルに登録されている電話番号と不一致になる場合、警告の表示や警告音の出力、表示手段の背景色の変更、又は、前記電話番号を表示する際の文字に装飾を行うことを特徴とする。
【００２７】
請求項９に係る発明は、請求項１乃至８に係る電話番号表示装置は、固定電話機、携帯電話機、情報処理端末装置、携帯情報処理端末装置のいずれかであることを特徴とする。
【００２８】
【発明の実施の形態】
以下、本発明の実施の形態を図１から図１８に従って詳細に説明する。
【００２９】
図１は本発明に係る携帯電話機の回路構成図である。
【００３０】
表示部１は制御部４からの制御信号に対応する数字や文字、図形などを記憶部６から呼び出し表示するものであり、例えば、液晶表示や有機エレクトロルミネッセンス表示が該当する。
【００３１】
操作部２は各種操作並びに制御を行うためのユーザインタフェース部であり、ボタンやダイヤルがある。又、表示部１に表示されたタッチパネルのような擬似的なボタンも同様の効果を実現できる。更に、音声処理部３に接続されているマイクから音声を入力し、制御部４で処理することにより、音声でも操作することができる。
【００３２】
音声処理部３は制御部４から出力された音声信号を増幅して出力したり、音声処理部３から入力された音声信号を増幅して制御部４に出力したりする処理を行う。
【００３３】
制御部４は記憶部６に登録されたプログラムに則り、操作部２からの制御信号により動作し、送受信回路部５、表示部１及び音声処理部３を制御する。又、制御部４には、電話の発・着信時に送受信された電話番号や記憶部６への登録、記憶部６からの呼び出しをされた電話番号（以下、「第１の電話番号」と呼び、以降、場合によっては「第１の電話番号」を構成する数桁の番号を指すこともある。）と記憶部６内に格納されている電話番号テーブルに登録されている電話番号（以下、「第２の電話番号」と呼び、以降、場合によっては「第２の電話番号」を構成する数桁の番号を指すこともある。）とを比較することにより、電話番号の区切り位置を決定するための電話番号区切り位置決定手段を設けている。
【００３４】
又、電話番号区切り位置決定手段において、「第１の電話番号」が「第２の電話番号」と不一致であった場合、「第１の電話番号」は間違いであることが濃厚であるといえるため、その旨のメッセージやビープ音の出力、液晶表示装置のバックカラーの変化、「第２の電話番号」と不一致であった「第１の電話番号」を表示する際の文字に対して色や書体の変化、下線の付加、囲み線や網掛け、点滅を施し、ユーザに間違いであることを指摘するための手段を設けている。
【００３５】
「第１の電話番号」を区切るためのデータを登録した電話番号テーブルには、図２の００ＸＹ系テーブル（特許請求の範囲の欄における「第１の情報」に相当。）、図３の０Ｘ０系テーブル（特許請求の範囲の欄における「第２の情報」に相当。）、図４の０ＸＹ０系テーブル（特許請求の範囲の欄における「第３の情報」に相当。）、図５の１ＸＹ系テーブル（特許請求の範囲の欄における「第４の情報」に相当。）、図６のようなテーブルには国番号、市外局番、市内局番が登録されており、加入者番号の桁数は４桁と設定されている。なお、図２から図６に示すように、「第２の電話番号」にはそれに付加された情報（以下、「付加データ」と呼ぶ。）が「第２の電話番号」に対応して登録されている。
【００３６】
又、その他に図７に示すように事前に設定された任意の電話番号区切り位置が登録されているテーブルがある。
【００３７】
電話番号テーブルは記憶部６に予め登録されている。又、電話番号テーブルはユーザが任意に修正や追加、削除ができるようになっており、例えば「第２の電話番号」に対応した付加データとしてユーザが任意に情報を付加することができる。
【００３８】
更に、電話番号の計画の改正に伴い登録データに変更が生じた場合は、変更されたデータを提供するサーバから前記変更されたデータをダウンロードすることにより適宜更新できるようになっている。
【００３９】
送受信回路部５は制御部４によって制御され、携帯電話機における送受信処理を行う。送受信回路部５は音声や文字情報、制御信号などを変調して送出したり、受信した音声や文字情報、制御信号などを復調して制御部４に出力したりする。
【００４０】
記憶部６は複数の電話番号及び氏名などを登録するメモリーや、数字や文字、図形を登録するメモリーとして使用される。又、前記したように「第１の電話番号」を区切るためのデータを登録した電話番号テーブルを格納している。更に、入力された電話番号を一時的に記憶しておくためのバッファも記憶部６に含まれる。
（記憶部６から「第１の電話番号」を呼び出すときの区切り位置の決定）
図８は、図１の記憶部６に登録されている「第１の電話番号」を呼び出した場合の本発明による区切り表示方法を示すフローチャートである。
【００４１】
図８のステップ１０１において、ユーザからの指示により図１の記憶部６のメモリーに登録されている「第１の電話番号」を呼び出す。
【００４２】
続いて、図８のステップ１０２において、呼び出した「第１の電話番号」と図１の記憶部６内に登録されている電話番号テーブルの「第２の電話番号」とを比較し、区切り位置の決定を行う。
【００４３】
そして、図８のステップ１０３において、区切り位置で改行された「第１の電話番号」を図１の表示部１に表示する。
（操作部２から「第１の電話番号」を入力するときの区切り位置の決定）
図９は、図１の操作部２から「第１の電話番号」の各桁をユーザが順次入力していく時に、その都度、本発明による区切り位置の決定を行う区切り表示方法を示すフローチャートである。
【００４４】
図９のステップ４０１において、図１の操作部２から「第１の電話番号」を１桁入力する。
【００４５】
「第１の電話番号」が１桁入力されると、その番号は図１の記憶部６にあるバッファに登録され、それを基に、図９のステップ４０２において、入力された「第１の電話番号」と図１の記憶部６内に登録されている電話番号テーブルの「第２の電話番号」とを比較し、区切り位置の決定を行う。
【００４６】
そして、図９のステップ４０３において、区切り位置で改行された「第１の電話番号」を図１の表示部１に表示する。
【００４７】
引き続き、図９のステップ４０１で「第１の電話番号」が入力されなくなるまで、前記で説明した一連の処理を続ける。
（所定時間が経過したときの区切り位置の決定）
図１０は、図１の操作部２から「第１の電話番号」の各桁をユーザが順次入力していく時に、ある任意に設定された時間を経過した場合、本発明による区切り位置の決定を行う区切り表示方法を示すフローチャートである。
【００４８】
図１０のステップ５０１において、図１の操作部２から「第１の電話番号」の各桁をユーザが順次入力していく。「第１の電話番号」の各桁が入力されると、その番号は図１の記憶部６にあるバッファに登録される。
【００４９】
続いて、図１０のステップ５０２において、任意に設定された時間が経過するまで、「第１の電話番号」の入力操作を行う。
【００５０】
設定された時間が経過したとき、図１の記憶部６にあるバッファに登録された「第１の電話番号」を基に、図１０のステップ５０３において、入力された「第１の電話番号」と図１の記憶部６内に登録されている電話番号テーブルの「第２の電話番号」とを比較し、区切り位置の決定を行う。
【００５１】
そして、図１０のステップ５０４において、区切り位置で改行された「第１の電話番号」を図１の表示部１に表示する。
【００５２】
引き続き、図１０のステップ５０１で「第１の電話番号」が入力されなくなるまで、前記の一連の処理を続ける。
【００５３】
なお、「所定時間が経過したときの区切り位置の決定」で用いる、ある任意に設定された経過時間は、図１の記憶部６に、例えば図１１のように０．８秒と登録されており、ユーザが任意に設定・変更できるようになっている。
【００５４】
又、任意に設定された時間が経過したことを計時する手段において、図１の制御部４にある水晶振動子やタイマーを用いる。
（全ての「第１の電話番号」を入力した後の区切り位置の決定）
図１２は、図１の操作部２から「第１の電話番号」をユーザが入力する時に、「第１の電話番号」を最後まで入力した後、本発明による区切り位置の決定を行う区切り表示方法を示すフローチャートである。
【００５５】
図１２のステップ６０１において、図１の操作部２から「第１の電話番号」をユーザが最後まで入力する。
【００５６】
入力された「第１の電話番号」は図１の記憶部６にあるバッファに登録され、それを基に、図１２のステップ６０２において、入力された「第１の電話番号」と図１の記憶部６内に登録されている電話番号テーブルの「第２の電話番号」とを比較し、区切り位置の決定を行う。
【００５７】
そして、図１２のステップ６０３において、区切り位置で改行された「第１の電話番号」を図１の表示部１に表示する。
【００５８】
前記「記憶部６から「第１の電話番号」を呼び出すときの区切り位置の決定」、「操作部２から「第１の電話番号」を入力するときの区切り位置の決定」、「所定時間が経過したときの区切り位置の決定」及び「全ての「第１の電話番号」を入力した後の区切り位置の決定」は、改行を行うタイミングと改行のための区切り位置の決定を行う処理時間とのトレードオフにより自由に選択すればよい。つまり、常に正しい区切り位置で改行された表示を望むのであれば「記憶部６から「第１の電話番号」を呼び出すときの区切り位置の決定」を、操作からのレスポンスを重視するのであれば「全ての「第１の電話番号」を入力した後の区切り位置の決定」を選択すればよい。
【００５９】
次に、図１３及び図１４は、図８のステップ１０２、図９のステップ４０２、図１０のステップ５０３、図１２のステップ６０２の本発明による電話番号の区切り位置を決定する方法を詳細に示すフローチャートである。
【００６０】
まず、図１３のステップ２０１で「第１の電話番号」の１桁目の数字を「０」と照合する。一致した場合、図１３のステップ２０２で「第１の電話番号」の２桁目の数字を「０」と照合し、一致しなかった場合、図１３のステップ２１０で「第１の電話番号」の１桁目の数字を「１」と照合する。
【００６１】
図１３のステップ２０２以降のステップ２０３〜２０９では、「第１の電話番号」の開始番号が「００ＸＹ系」、「０Ｘ０系」、「０ＸＹ０系」、「０ＸＹＺ系」又はそれ以外の番号であるかが決定される。
【００６２】
具体的には、「００ＸＹ系」の場合、図２の００ＸＹ系テーブルと照合することにより、国際事業者識別番号か国内事業者識別番号か、つまり国際電話か国内電話かが決定される。
【００６３】
「０Ｘ０系」の場合、図３の０Ｘ０系テーブルと照合することにより、０１０であるなら国際電話、それ以外なら携帯電話やＰＨＳなどであることが決定され、０１０でなかった場合にはそれ以降に続く電話番号の区切り位置も決定される。
【００６４】
なお、「０ＸＹ０系」は高度な電話サービス、「０ＸＹＺ系」は市外通話であり、「０ＸＹ０系」の場合には図４の０ＸＹ０系テーブルと照合することにより、それ以降に続く電話番号の区切り位置も決定される。又、「０ＸＹ０系」に分類される「第１の電話番号」の中には、例えば御殿場市で使用されている「０５５０」のような市外局番が含まれている。このため、図１３及び図１４中には示していないが、０ＸＹ０系テーブルにこのような市外局番も同時に登録しておき、市外局番であると決定された場合には図１４のアルファベットＣ以降の処理をする。
【００６５】
図１３のステップ２１０では、「第１の電話番号」の１桁目が「１」であるかの照合、つまり市内通話か否かが決定され、「１」である場合、つまり市内通話でない場合、図１３のステップ２１１で、図５の１ＸＹ系テーブルと照合することにより、付加サービス番号か特別サービス番号かが決定される。
【００６６】
なお、電話番号の区切り位置として、例えば図３の０Ｘ０系テーブルに示す「第２の電話番号」が０９０から始まる携帯電話の区切り位置のように、電話番号の区切り位置が数字で指定されている場合、その直後に続く「第１の電話番号」を指定された数の桁で区切ることを示している。それ以降は、加入者番号の桁数毎に区切って表示を行う。
【００６７】
又、前記の照合により「第１の電話番号」の種類を決定できなかった場合、電話番号の区切り位置として、図７のように事前に設定された任意の電話番号区切り位置を使用する。
【００６８】
図１３のアルファベットＡ〜Ｅは図１４のアルファベットＡ〜Ｅに対応しており、前記の照合を行い、「第１の電話番号」の種類を決定した後引き続き図１４のステップ３０１〜３０４の処理を行う。これにより、電話番号の区切り位置を決定することができ、電話番号の区切り位置で改行を行うことにより「第１の電話番号」を複数行に亘って表示することができる。
【００６９】
又、図１５に示すように電話番号は先頭の４桁までの部分で電話番号の種類を決定することができるため、前記のように処理することにより、「第１の電話番号」と膨大な量の電話番号データとを照合する回数を極力減らすことができ、電話番号の区切り位置の決定をスピーディーに行うことができる。
【００７０】
更に、図１３及び図１４に示す本発明による電話番号の区切り位置を決定する方法において、処理される「第１の電話番号」の桁数に応じて処理するステップを省略することが可能である。例えば、「第１の電話番号」の桁数が２桁の場合、「第１の電話番号」が「０１」であれば図１３のステップ２０１とステップ２０２のみ、「第１の電話番号」が「１０」であれば図１３のステップ２０１のみの処理で、「第１の電話番号」の種類を特定することができるため、図１３のステップ２０２で一致すれば図１４のアルファベットＤ、図１３のステップ２０１又は図１３の２０２で不一致の場合は図１４のアルファベットＥ以降の処理に移れば、電話番号の区切り位置の決定をよりスピーディーに行うことができる。
【００７１】
なお、登録されている電話番号テーブルにおいて、特許文献１では区切り位置を図１６のように２個設定しているのに対し、本発明による方法では、図３、図４及び図７に示すように１個のみ設定すればよいので、記憶しておくデータの量を減らすことができる。
【００７２】
又、図１４のアルファベットＥを通る処理の場合、電話番号テーブルに登録されている「第２の電話番号」と不一致となり、「第１の電話番号」は間違いであることが濃厚であるといえるため、その旨のメッセージやビープ音の出力、液晶表示装置のバックカラーの変化、電話番号テーブルと不一致であった「第１の電話番号」を表示する際の文字に対して色や書体の変化、下線の付加、囲み線や網掛け、点滅を施すことにより、ユーザに「第１の電話番号」が間違いであることを指摘することができる。
【００７３】
図１７は「第１の電話番号」を入力したときの本発明に従った「第１の電話番号」の表示の手順を示したものである。
【００７４】
図１の操作部２を用いて「第１の電話番号」をユーザが順次入力していく操作を行うと図１７の手順１のように表示される。
【００７５】
続いて、図１の制御部４において、図１３、図１４の区切り位置決定手段に基づき、この入力された「第１の電話番号」と図１の記憶部６内に登録された電話番号テーブルの「第２の電話番号」とを比較し、区切り位置の決定を行う。
【００７６】
電話番号の区切り位置が決定されると、区切り位置で改行を行い、図１７の手順２のように「第１の電話番号」の表示を行う。最終的には、図１７の手順３のように入力された「第１の電話番号」を改行し複数行に亘って表示することができる。
【００７７】
このように、電話番号の区切り位置で改行操作を施すことにより、電話の発・着信時、電話番号の電話帳への登録・呼び出し時又は電話の発・着信の履歴参照の際に「第１の電話番号」を複数行に亘って表示し、認識のしやすさを向上させることができる。又、付加データを図１８のように表示することも可能であり、「第２の電話番号」と付加データとの対応関係を崩すことなく容易に認識することができる。
【００７８】
このような区切り位置の決定並びに表示は、電話の発・着信時、電話番号の電話帳への登録・呼び出し時又は電話の発・着信の履歴参照時などに行うことができ、又、電話帳登録時では電話番号の区切り位置で改行操作を行わず、従来どおりの横一列の形式で登録しておき、表示時のみ改行し表示することも考えられる。
【００７９】
又、これとは逆に、電話帳登録時に電話番号の区切り位置で改行操作を行い、改行情報を含めて登録しておくことも考えられる。これにより、表示する際に電話番号の区切り位置で改行する作業を省略でき、よりスピーディーに表示することが可能になる。
【００８０】
更に、電話番号の区切り位置に改行情報が挿入された電話番号を、手動で改行情報が挿入されていない横一列である元の状態に戻したり、手動で任意の場所に改行情報を挿入したりできることは言うまでもない。
【００８１】
又、電話番号の区切り位置で改行を行い表示手段に表示する以外に、電話番号の区切り位置で、ある一定の空白時間を置いて音声で電話番号を出力して表現することも可能である。
【００８２】
なお、本発明における電話番号表示装置は、電話番号を入力、又は、出力できる装置であれば広く適用することができ、具体的には、固定電話機、携帯電話機、パーソナルコンピュータをはじめとする情報処理端末装置、ＰＤＡ（Ｐｅｒｓｏｎａｌ  Ｄｉｇｉｔａｌ  Ａｓｓｉｓｔａｎｔ）をはじめとする携帯情報処理端末装置が該当する。
【００８３】
【発明の効果】
以上の説明から明らかなように、本発明により、電話番号の区切り位置で区切って、電話番号を複数行に亘って表示することにより、より認識しやすい表示装置を提供することができる。
【００８４】
又、日常的に行われている電話番号の区切り位置は高々４桁毎程度であるため、表示スペースの幅が狭い場合でも適切な電話番号の区切り位置で区切って表示することができる。
【００８５】
更に、市外局番などの電話番号に付加されたデータを、電話番号とその付加されたデータとの対応がわかりやすいように表示することができる。
【００８６】
これらの効果により一般ユーザはもちろんのこと、お年寄りや、視覚に障害を持っておられる方々にとっても見やすい表示装置を提供することができる。又、複数行の表示が可能な表示装置であれば、比較的小さなものであっても見やすく表示することができる。
【００８７】
更に、電話番号の区切り位置決定手段において、電話の発・着信時、電話番号の電話帳への登録・呼び出し時又は電話の発・着信の履歴参照時の電話番号が電話番号テーブルに登録されている電話番号と不一致になる場合、その電話番号は間違いであることが濃厚であるといえるため、警告の表示や警告音の出力、表示手段の背景色の変更、又は、電話番号を表示する際の文字に装飾を行うことにより、ユーザにその電話番号が間違いであることを指摘することができる。
【図面の簡単な説明】
【図１】本発明の電話機の構成を示すブロック図である。
【図２】本発明における電話番号テーブルである００ＸＹ系テーブルの一例を示す図である。
【図３】本発明における電話番号テーブルである０Ｘ０系テーブルの一例を示す図である。
【図４】本発明における電話番号テーブルである０ＸＹ０系テーブルの一例を示す図である。
【図５】本発明における電話番号テーブルである１ＸＹ系テーブルの一例を示す図である。
【図６】本発明における電話番号テーブルである「第２の電話番号」とそれに対応した付加データを登録しているテーブルの一例を示す図である。
【図７】本発明における事前に設定された任意の電話番号区切り位置を登録しているテーブルの一例を示す図である。
【図８】本発明の電話機による「第１の電話番号」を呼び出した場合の本発明による区切り表示方法を示すフローチャートである。
【図９】本発明の電話機による「第１の電話番号」を入力する時に、その都度、本発明による区切り位置の決定を行う区切り表示方法を示すフローチャートである。
【図１０】本発明の電話機による「第１の電話番号」を入力する時に、ある任意に設定された時間を経過した場合、本発明による区切り位置の決定を行う区切り表示方法を示すフローチャートである。
【図１１】本発明における事前に設定する任意の経過時間を登録しているテーブルの一例を示す図である。
【図１２】本発明の電話機による「第１の電話番号」を入力する時に、「第１の電話番号」を最後まで入力した後、本発明による区切り位置の決定を行う区切り表示方法を示すフローチャートである。
【図１３】本発明の電話番号の区切り位置決定手段の前半を示すフローチャートである。
【図１４】本発明の電話番号の区切り位置決定手段の後半を示すフローチャートである。
【図１５】従来の文字が小さく表示される一例を示す図である。
【図１６】特許文献１における電話番号の区切り位置を決定するために用いるデータの一例を示す図である。
【図１７】本発明の電話機による電話番号表示の手順を示すフロー図である。
【図１８】本発明による区切り位置での改行表示と同時に番号に対応する付加データを、その対応関係をわかりやすく表示する一例を示す図である。
【図１９】従来の表示スペースの右端で強制的に折り返される一例を示す図である。
【図２０】電話番号の開始番号で電話番号の種類をある程度特定できることを示す図である。
【図２１】特許文献１における電話番号の区切り位置決定手段を示すフローチャートである。
【図２２】特許文献１における電話番号とそれに付加したデータを表示する一例を示す図である。
【図２３】特許文献２における電話番号の区切り位置の前後で属性を変化させ電話番号の区切り位置を表現する表示方法の一例を示す図である。
【図２４】従来の文字が縦長に表示される一例を示す図である。
【図２５】従来の番号に対応する付加データを表示する場合の一例を示す図である。
【図２６】本発明による区切り位置での改行表示の一例を示す図である。
【符号の説明】
１  表示部
２  操作部
３  音声処理部
４  制御部
５  送受信回路部
６  記憶部
【図１】
2004153727.tif 000003
【図２】
2004153727.tif 000004
【図３】
2004153727.tif 000005
【図４】
2004153727.tif 000006
【図５】
2004153727.tif 000007
【図６】
2004153727.tif 000008
【図７】
2004153727.tif 000009
【図８】
2004153727.tif 000010
【図９】
2004153727.tif 000011
【図１０】
2004153727.tif 000012
【図１１】
2004153727.tif 000013
【図１２】
2004153727.tif 000014
【図１３】
2004153727.tif 000015
【図１４】
2004153727.tif 000016
【図１５】
2004153727.tif 000017
【図１６】
2004153727.tif 000018
【図１７】
2004153727.tif 000019
【図１８】
2004153727.tif 000020
【図１９】
2004153727.tif 000021
【図２０】
2004153727.tif 000022
【図２１】
2004153727.tif 000023
【図２２】
2004153727.tif 000024
【図２３】
2004153727.tif 000025
【図２４】
2004153727.tif 000026
【図２５】
2004153727.tif 000027
【図２６】
2004153727.tif 000028